(57)【要約】【課題】パチンコ球のような球を発射する操作の疲労軽減と微調整容易な構造の簡単化を図る。【解決手段】機構躯体２に回転可能に設けられた３個の平歯車６と操作体３に固定的に設けられた１個の環状歯車８とが互いに噛み合わせられ、前覆体４が操作体３の前側に被せられ、操作体３の複数の支柱２５と前覆体４の複数の取付脚４２とが機構躯体２の裏側から止ねじ１５で締結されることによって、機構躯体２と前覆体４とがそれらの間に操作体３を回転可能に介在させた格好で互いに固定され、平歯車６に緩衝器１０における外側の第１緩衝構造体６５を固定し、緩衝器１０における内側の第２緩衝構造体６６が機構躯体２に固定されたので、内側の第２緩衝構造体６６を平歯車に固定し、外側の第１緩衝構造体６５を機構躯体２に固定した場合よりも、緩衝器１０の耐久性が向上する。【選択図】図１
2007082901.tif 000002
【特許請求の範囲】
【請求項１】
遊技機枠に固定される機構躯体の前側には複数の平歯車が回転可能に設けられ、機構躯体の前側に配置される操作体の裏面には環状歯車が設けられ、操作体が機構躯体の前側に被せられることで、複数の平歯車と環状歯車とが互いに噛み合わせられ、操作体の前側に被せられた前覆体が機構躯体の裏側から止ねじで機構躯体に締結され、機構躯体と前覆体とがそれらの間に操作体を回転可能に介在させて互いに固定され、遊技者の希望する調整位置に操作体を固定するための緩衝器および遊技者の希望する発射力に相当する可変抵抗を出力するための可変抵抗器が機構躯体に設けられ、操作体の回転操作に伴い、緩衝器の第１緩衝構造体と第２緩衝構造体との間に封入された粘性流体がトルクを発生し、可変抵抗器が可変抵抗値に応じた電力を制御装置に出力する遊技機の発射操作機構であって、複数の平歯車のうちの１つの平歯車が変抵抗器のボリューム軸に固定され、第１緩衝構造体が第２緩衝構造体の外側に配置され、複数の平歯車のうちのもう１つの平歯車が第１緩衝構造体に固定され、第２緩衝構造体には支柱および回転阻止部が設けられ、支柱には止取付部が設けられ、機構躯体には緩衝取付部と支柱挿入孔および回転阻止部が設けられ、支柱が支柱挿入孔に挿入され、回転阻止部が回転阻止部に嵌め込まれることによって、第２緩衝構造体が緩衝取付部に回転しないように固定的に取り付けられ、固定具が機構躯体から裏側に突出した支柱の止取付部に装着されることによって、支柱が機構躯体に脱落しないように取り付けられることによって、第２緩衝構造体が機構躯体に固定されたことを特徴とする遊技機の発射操作機構。
【発明の詳細な説明】
【技術分野】
【０００１】
本発明は、パチンコ球のような球を発射する操作の疲労軽減と微調整容易な構造の簡単な遊技機の発射操作機構に関する。
【背景技術】
【０００２】
遊技者がパチンコ機の球を遊技盤の遊技領域に発射する操作を行うための発射操作機構には、次の構造のものが知られている。それは、ハンドルレバーと呼ばれる操作体が遊技盤の格納する遊技機枠に固定されるグリップ本体と呼ばれる機構躯体に操作軸で回転可能に支持され、遊技者の希望する調整位置に操作体を固定するための緩衝器や遊技者の希望する発射力に相当する可変抵抗を出力するための可変抵抗器が機構躯体の内部に設けられ、駆動歯車が操作軸の外側に嵌め込まれて操作体に固定され、ローターの中心に設けられたダンパー軸が操作軸に固定され、従動歯車が可変抵抗器のボリューム軸に固定され、駆動歯車と従動歯車とが互いに噛み合わされており、遊技者が操作体を、右回りまたは左回りに回転操作すると、緩衝器のローターおよび可変抵抗器のボリューム軸が回転し、緩衝器における外側のステーターと内側のローターとで構成された密封空間に充填された油のような粘性流体がトルクを発生し、可変抵抗器が可変抵抗値に応じた電力を制御装置に出力する構造である。しかしながら、操作軸や緩衝器が機構躯体の中心に設置する構造が複雑になるという欠点がある。
【特許文献１】特開２００５−１６０５０４号公報
【発明の開示】
【発明が解決しようとする課題】
【０００３】
発明が解決しようとする問題点は、操作軸や緩衝器が機構躯体の中心に設置する構造が複雑であるという点である。
【課題を解決するための手段】
【０００４】
本発明に係る遊技機の発射操作機構は、遊技機枠に固定される機構躯体の前側には複数の平歯車が回転可能に設けられ、機構躯体の前側に配置される操作体の裏面には環状歯車が設けられ、操作体が機構躯体の前側に被せられることで、複数の平歯車と環状歯車とが互いに噛み合わせられ、操作体の前側に被せられた前覆体が機構躯体の裏側から止ねじで機構躯体に締結され、機構躯体と前覆体とがそれらの間に操作体を回転可能に介在させて互いに固定され、遊技者の希望する調整位置に操作体を固定するための緩衝器および遊技者の希望する発射力に相当する可変抵抗を出力するための可変抵抗器が機構躯体に設けられ、操作体の回転操作に伴い、緩衝器の第１緩衝構造体と第２緩衝構造体との間に封入された粘性流体がトルクを発生し、可変抵抗器が可変抵抗値に応じた電力を制御装置に出力する遊技機の発射操作機構であって、複数の平歯車のうちの１つの平歯車が変抵抗器のボリューム軸に固定され、第１緩衝構造体が第２緩衝構造体の外側に配置され、複数の平歯車のうちのもう１つの平歯車が第１緩衝構造体に固定され、第２緩衝構造体には支柱および回転阻止部が設けられ、支柱には止取付部が設けられ、機構躯体には緩衝取付部と支柱挿入孔および回転阻止部が設けられ、支柱が支柱挿入孔に挿入され、回転阻止部が回転阻止部に嵌め込まれることによって、第２緩衝構造体が緩衝取付部に回転しないように固定的に取り付けられ、固定具が機構躯体から裏側に突出した支柱の止取付部に装着されることによって、支柱が機構躯体に脱落しないように取り付けられることによって、第２緩衝構造体が機構躯体に固定されたことを最も主要な特徴とする。
【発明の効果】
【０００５】
本発明に係る遊技機の発射操作機構は、機構躯体に設けた複数の平歯車と操作体に設けた環状歯車との噛み合いによって、操作体が機構躯体および前覆体に対し機構躯体の中心と同軸な操作体の中心を中心として回転可能となるので、機構躯体の中心部に操作体を回転可能に支持するための操作軸を設けた構造に比べ、操作体ががたつくことなく円滑に回転でき、機構躯体の中心部から操作体を回転可能に支持するための操作軸を取り除くことができ、当該操作軸が取り除かれれば、操作体と前覆体とで囲まれた内部空間が広くなり、第１緩衝構造体が第２緩衝構造体の外側に配置され、複数の平歯車のうちの１つの平歯車が第１緩衝構造体に固定され、第２緩衝構造体が機構躯体に固定されることによって、内側の第２緩衝構造体を平歯車に固定し、外側の第１緩衝構造体を機構躯体に固定した場合よりも、緩衝器の耐久性が向上するという利点がある。しかも、第２緩衝構造体には支柱および回転阻止部が設けられ、支柱には止取付部が設けられ、機構躯体には緩衝取付部と支柱挿入孔および回転阻止部が設けられ、支柱が支柱挿入孔に挿入され、回転阻止部が回転阻止部に嵌め込まれることによって、第２緩衝構造体が緩衝取付部に回転しないように固定的に取り付けられ、固定具が機構躯体から裏側に突出した支柱の止取付部に装着されることによって、支柱が機構躯体に脱落しないように取り付けられることによって、第２緩衝構造体が機構躯体に固定されたので、緩衝器が機構躯体に容易に取り付けられるとともに、緩衝器が機構躯体から容易に取り外せるという利点がある。
【発明を実施するための最良の形態】
【０００６】
図１乃至図６は、発明を実施するための最良の形態である。図１は、発射操作機構１の要部の断面を示す。図２は、発射操作機構１を分解して前側から示す。図３は、操作体３と平歯車５乃至７と可変抵抗器９および緩衝器１０を分解して裏側から示す。図４は、平歯車６と緩衝器１０および緩衝取付部３０を分解して前側から示す。図５は、第１緩衝構造体６５を裏側から示す。図６は、第１緩衝構造体６５と第２緩衝構造体６６とが組み立てられた裏面を示す。本明細書において、「前」、「後」、「裏」、「左」、「右」、「上」、「下」の方向は、図２の状態に発射操作機構１を置いて矢印Ａで示す前側から見た場合に特定される方向である。「後」と「裏」とは同じ方向である。
【０００７】
図２を参照し、発射操作機構１の構造について説明する。発射操作機構１は、ハンドルグリップと呼ばれるものであって、別々に構成された構成部品として、機構躯体２、操作体３、前覆体４、３個の平歯車５；６；７、１個の環状歯車８、可変抵抗器９、緩衝器１０、配線１１、抜止部材１２、止ねじ１３；１４；１５を備える。そして、可変抵抗器９および緩衝器１０が機構躯体２に取り付けられ、平歯車５が可変抵抗器９に取り付けられ、平歯車６が緩衝器１０に取り付けられ、平歯車７および抜止部材１２が止ねじ１３で機構躯体２に取り付けられ、環状歯車８が操作体３に固定的に設けられ、配線１１が機構躯体２および操作体３に貫通されて操作体３に止ねじ１４で取り付けられ、操作体３が機構躯体２の前側に重ね合わされ、３個の平歯車５；６；７が環状歯車８に噛み合わされ、前覆体４が操作体３の前側に重ね合わされ、止ねじ１５が機構躯体２の裏側から操作体３を貫通して前覆体４に締結されることによって、機構躯体２と前覆体４とがそれらの間に操作体３を回転可能に介在させて互いに固定され、発射操作機構１が構成される。
【０００８】
このように発射操作機構１が構成された場合、可変抵抗器９に内蔵された接触子が可変抵抗器９に内蔵された抵抗線との接触位置をそれ以上左回りに回転しない停止位置に停止されることによって、操作体３がそれ以上左回りに回転しない停止位置に停止される。操作体３がそれ以上左回りに回転しない停止位置は、最小停止位置を構成する。操作体３が最小停止位置に停止する場合、操作体３がそれ以上左回りに回転しないようにするために、ストッパを操作体３および機構躯体２に設け、操作体３が最小停止位置に停止した後、操作体３がそれ以上左回りに回転操作される場合、上記双方のストッパが互いに衝突して操作体３の左回りを阻止するようにすれば、機構上最良である。また、機構躯体２が図外の遊技盤の格納する遊技機枠に固定され、制御装置が可変抵抗器９に配線を通じて通電された状態において、操作体が遊技者により右回りに回転操作されると、可変抵抗器９が可変抵抗値に応じた電力を図外の制御装置に出力し、緩衝器１０が可変し得るトルクを発生する。緩衝器１０が可変し得るトルクを発生する仕組みについては、図１および図６で後述する。
【０００９】
機構躯体２は、グリップ本体と呼ばれるものであって、合成樹脂により、胴体２１、回転阻止部２２、頭部２３、外周壁２４、支柱２５、隔壁２６、ねじ挿入孔２７、歯車支持体２８、歯車取付部２９、図４の緩衝取付部３０、配線孔３１、図外の抵抗取付部を備えた、単一体として構成される。胴体２１は、筒形状である。回転阻止部２２は、機構躯体２を取り付ける部分に設けられた突起に嵌め込まれることによって、機構躯体２を回転しないようにするものであって、胴体２１に、胴体２１の外周面から内部への窪みとして設けられる。頭部２３は、胴体２１の前部を覆うとともに、胴体２１よりも大きな外径の円形である。頭部２３の中心と胴体２１の中心とは、互いに、同軸形態ではなく、横方向に位置がずれている。外周壁２４は、頭部２３の周縁部から前側に突出した円形である。
【００１０】
支柱２５は、複数本であって、頭部２３の周縁部の側に位置し、頭部２３から前側に突出する筒状である。隔壁２６は、各支柱２５の内部孔を前後に分けるように、各支柱２５の内部に設けられる。ねじ挿入孔２７は、隔壁２６に、前後方向への貫通孔として形成される。支柱２５の隔壁２６よりも前後には、支柱２５の内部孔が残存する。隔壁２６よりも前側に位置する支柱２５の内部孔は、前覆体４の取付脚４２を嵌め込むための孔として用いられる。隔壁２６よりも後側に位置する支柱２５の内部孔は、機構躯体２と前覆体４とを締結する止ねじ１５を挿入するとともに、止ねじ１５の頭部を格納するための孔として用いられる。歯車支持体２８は、平歯車７を支持するものであって、頭部２３から前方に突出する。歯車取付部２９は、平歯車７を回転可能に取り付けるものであって、歯車支持体２８の前端部に、歯車支持体２８よりも外径の細い筒状として同軸に設けられる。配線孔３１は、頭部２３の中心に、前後方向への貫通孔として形成される。
【００１１】
操作体３は、ハンドルレバーと呼ばれるものであって、合成樹脂により、環状歯車８、レバー基盤３３、指掛部３４、配線孔３５、前側周壁３６、逃避孔３７、配線接続部３８、配線取付孔３９を備えた、単一体として構成される。環状歯車８は、レバー基盤３３の裏側に、レバー基盤３３の裏面から内部に窪んでおり、レバー基盤３３の前後方向に延びる中心を中心とする１つの円周上に当該円周方向に連続した歯部を有する内歯歯車である。レバー基盤３３は、頭部２３と略同じ大きさの円形である。指掛部３４は、複数個であって、レバー基盤３３の外周面から径方向外側に突出する。配線孔３５は、レバー基盤３３の中心に、前後方向への貫通として形成される。前側周壁３６は、レバー基盤３３から前側に突出し、レバー基盤３３の中心を中心とする円形として、レバー基盤３３の周縁部に形成される。逃避孔３７は、機構躯体２の支柱２５を個別に逃げるために、前側周壁３６の内側に沿い、レバー基盤３３の中心を中心とする弧状であって、レバー基盤３３に、前後方向への貫通孔として形成される。配線接続部３８は、配線１１を接続する部分として、レバー基盤３３に設けられる。配線取付孔３９は、配線接続部３８に、前後方向への貫通孔として設けられる。レバー基盤３３と指掛部３４と前側周壁３６および配線接続部３８それぞれの表面には、人の接触を感知するための金属からなる被覆層がメッキで形成される。
【００１２】
前覆体４は、ハンドルカバーと呼ばれるものであって、合成樹脂により、カバー基盤４１、取付脚４２、取付孔４３を備えた、単一体として構成される。カバー基盤４１の外形は、半球形状である。カバー基盤４１の内部は、裏面から前側に半球形状に窪む凹形状である。カバー基盤４１の裏面における開口の内径は、前側周壁３６の外径よりも大きい。取付脚４２は、複数本であって、機構躯体２の支柱２５と対応する位置に、カバー基盤４１の内部に突出し、カバー基盤４１に設けられる。取付孔４３は、各取付脚４２に、取付脚４２の裏面から内部への窪みとして形成される。
【００１３】
平歯車５は、合成樹脂により、平歯車５の中心に取付孔４５および取付部４６を備えた、単一体として構成される。取付孔４５は、平歯車５の回転中心の前後方向に延びる軸心と直交する方向の断面が半月形状の異形に形成される。取付部４６は、平歯車５の裏面から裏側に突出した筒形状に形成される。そして、取付孔４５がボリューム軸５５の異形な先端部に前側から嵌め込まれることによって、平歯車５がボリューム軸５５に一緒に動くように取り付けられる。その後、取付部４６に装着されたセットスクリューのような図外の止ねじが取付部４６の外側から内側に締結されることによって、当該止ねじの先端がボリューム軸５５に接触し、平歯車５がボリューム軸５５に抜けないように固定的に取り付けられる。平歯車６は、合成樹脂により、平歯車６の中心に取付孔４８および回転阻止部４９を備えた、単一体として構成される。平歯車６の緩衝器１０への取付方については、図４で後述する。
【００１４】
平歯車７は、合成樹脂により、平歯車７の中心に軸受孔５１を前後方向への貫通孔として備えた、単一体として構成される。そして、軸受孔５１が歯車取付部２９に前側から嵌め込まれることによって、平歯車７が歯車支持体２８に回転可能に取り付けられる。抜止部材１２は、中心に、ねじ挿入孔５３を前後方向への貫通孔として備える。そして、平歯車７が歯車取付部２９に嵌め込まれた後、抜止部材１２が平歯車７よりも前側に突出した歯車取付部２９の前面に被せられ、止ねじ１３がねじ挿入孔５３を経由して歯車取付部２９の内部に締結されることによって、抜止部材１２が歯車取付部２９の前面に接触して平歯車７を歯車取付部２９に抜けないように回転可能に支持する。
【００１５】
可変抵抗器９は、ボリューム軸５５、図外の雄ねじ部、抵抗配線５６を備える。ボリューム軸５５は、可変抵抗器９の前面から前側に突出する。雄ねじ部は、ボリューム軸５５を囲むように、可変抵抗器９の前面に設けられる。抵抗配線５６は、可変抵抗器９から外部に延長した被覆電線からなる引出線である。そして、可変抵抗器９が機構躯体２の裏側から胴体２１の内部に挿入され、ボリューム軸５５が機構躯体２における図外の抵抗取付部の貫通孔に挿入されて頭部２３よりも前側に突出した状態において、ナット５７が機構躯体２の前側から上記図外の雄ねじ部に締結され、可変抵抗器９とナット５７とが頭部２３を前後から挟み付けることで、可変抵抗器９が頭部２３に回転しないように取り付けられる。緩衝器１０の構造および機構躯体２への取付方については、図４で後述する。
【００１６】
配線１１は、人が発射操作機構１に接触していることを図外の制御装置に知らせるための被覆電線である。配線１１の両端には、被覆電線の導体に結線された電気端子５９；６０を備える。そして、止ねじ１４が電気端子６０の前側から電気端子６０を貫通して配線取付孔３９に締結され、電気端子６０が配線接続部３８に接続され、配線１１が操作体３の人の接触を感知するための被覆層に接続される。配線１１は、配線孔３１；３５を経由して機構躯体２および操作体３を前後方向に貫通する。
【００１７】
図３を参照し、操作体３の裏側の構造について説明する。操作体３におけるレバー基盤３３の裏面には、裏側周壁６２が、環状歯車８の外側を囲み、レバー基盤３３の中心を中心とする円形に突出する。裏側周壁６２の外径は、図２における機構躯体２の外周壁２４の外径と同じである。環状歯車８の外径は、外周壁２４の内径よりも小さい。環状歯車８は、裏側周壁６２よりも裏側に突出する。環状歯車８と裏側周壁６２との間には、レバー基盤３３で前側に閉鎖された隙間６３が存在する。
【００１８】
図１、図４乃至図６を参照し、緩衝器１０の構造および機構躯体２への取付方について説明する。図４において、緩衝器１０の構造について説明する。緩衝器１０は、別々に構成された構成部品として、第１緩衝構造体６５、第２緩衝構造体６６、封じ部材６７、蓋６８を備える。そして、第２緩衝構造体６６が第１緩衝構造体６５の裏側から内部に嵌め込まれ、第１緩衝構造体６５が第２緩衝構造体６６の径方向の外側に配置され、油のような粘性流体９５（図６参照）が第１緩衝構造体６５と第２緩衝構造体６６との隙間に充填され、封じ部材６７が封じ収容部８１に格納され、蓋６８が第２緩衝構造体６６の裏側から第２緩衝構造体６６に被せられて第１緩衝構造体６５に結合されることよって、緩衝器１０が第１緩衝構造体６５と第２緩衝構造体６６との間に粘性流体９５の封入された構造として構成される。
【００１９】
第１緩衝構造体６５は、合成樹脂により、第１緩衝構造体６５に歯車取付部７０および回転阻止部７１を備えた、単一体として構成される。歯車取付部７０は、第１緩衝構造体６５の前部に、第１緩衝構造体６５の中心から前側に突出した円柱形状として設けられる。回転阻止部７１は、歯車取付部７０の外周面から径方向外側に突出するとともに第１緩衝構造体６５の前面から前側に突出する。そして、歯車取付部７０が平歯車６の裏側から取付孔４８に挿入され、回転阻止部７１が回転阻止部４９に嵌め込まれることによって、平歯車６と第１緩衝構造体６５とが互いに一緒に回転するように取り付けられる。平歯車６と第１緩衝構造体６５とが互いに一緒に回転するように取り付けられる場合、歯車取付部７０と取付孔４８とが互いに締まり嵌めに取り付けられるか、または、回転阻止部７１と回転阻止部４９とが互いに締まり嵌めに取り付けられるか、または、平歯車６と第１緩衝構造体６５とが互いに接着剤または超音波溶着などで取り付けられることによって、平歯車６が第１緩衝構造体６５から脱落しないように第１緩衝構造体６５に結合される。このように、平歯車６と第１緩衝構造体６５とが互いに結合されることによって、平歯車６を第１緩衝構造体６５から脱落しないように取り付けるための筒状の取付部を平歯車６に設ける必要がなく、平歯車６における前後方向の厚さが薄くなり、平歯車６の取り付けられた緩衝器１０の前後方向の寸法を小さくすることができるという利点がある。
【００２０】
第２緩衝構造体６６は、第２緩衝構造体６６に、軸部７３、突部７４、回転阻止部７５、支柱７６、止取付部７７を備えた、単一体として構成される。第２緩衝構造体６６と軸部７３および突部７４は、合成樹脂製である。支柱７６は、金属製である。第２緩衝構造体６６は、円盤の一部を互いに平行な相対峙する一対の平面９７で除去した小判形状の板状である。軸部７３は、第２緩衝構造体６６の中心から前側に突出した円柱形状である。突部７４は、第２緩衝構造体６６の中心から裏側に突出した円柱形状である。回転阻止部７５は、突部７４に、突部７４の裏側および径方向に開口し、突部７４の裏面から内部への窪みとして形成される。支柱７６の前部は、インサート成形によって、第２緩衝構造体６６と軸部７３および突部７４に埋め込まれて固定される。支柱７６の後部は、第２緩衝構造体６６の中心から裏側に直線的に突出する。止取付部７７は、止輪または割りピンなどの固定具８６を取り付ける部分であって、支柱７６の後端部に、支柱７６の外周面から内部に窪みかつ支柱７６の外周面を囲む溝として形成される。
【００２１】
封じ部材６７は、液漏れを防ぐ部材として、ガスケットまたはパッキンまたはオーリングなどにより構成される。蓋６８は、蓋６８に、貫通孔７９、周壁８０、封じ収容部８１を備えた、単一体として構成される。蓋６８は、第２緩衝構造体６６よりも直径が大きく第１緩衝構造体６５よりも直径が小さい円盤形状である。貫通孔７９は、蓋６８の中心に、前後方向への貫通孔として形成される。周壁８０は、蓋６８の前面に、蓋６８から前側に突出し、貫通孔７９を囲む壁として設けられる。封じ収容部８１は、蓋６８の中心に、周壁８０の前面から内部に窪みかつ貫通孔７９を囲む環状の窪みとして形成される。
【００２２】
緩衝取付部３０は、機構躯体２の頭部２３に、頭部２３から前側に突出して設けられる。頭部２３および緩衝取付部３０には、支柱挿入孔８３が前後方向への貫通孔として設けられる。緩衝取付部３０の前面には、回転阻止部８４が緩衝取付部３０の前面から前側に突出して設けられる。
【００２３】
図５において、第１緩衝構造体６５の裏面には、蓋収容部８８、緩衝収容部８９、内周面９０、軸受孔９１が設けられる。蓋収容部８８は、第１緩衝構造体６５の裏面から内部への窪みとして設けられる。緩衝収容部８９は、蓋収容部８８の裏面から第１緩衝構造体６５の内部への窪みとして設けられる。内周面９０は、蓋収容部８８の中心部を中心とする蓋収容部８８の円形な周面である。軸受孔９１は、蓋収容部８８の中心部に、蓋収容部８８の裏面から第１緩衝構造体６５の内部および歯車取付部７０の内部への窪みとして設けられる。
【００２４】
緩衝器１０は、次のように組み立てられる。図４の軸部７３が図５の第１緩衝構造体６５の裏側から蓋収容部８８および緩衝収容部８９を経由して軸受孔９１に嵌め込まれる。これによって、図６に示すように、第２緩衝構造体６６が第１緩衝構造体６５の内部に嵌め込まれ、第２緩衝構造体６６および第１緩衝構造体６５の間には狭い液室９３および広い液室９４が形成される。そして、狭い液室９３および広い液室９４に粘性流体９５が充填される。また、図４において、封じ部材６７が蓋６８の前側から封じ収容部８１に装着され、蓋６８が第２緩衝構造体６６の裏側から第１緩衝構造体６５に装着されることによって、支柱７６および突部７４が貫通孔７９を前側から裏側に貫通する。第１緩衝構造体６５と蓋６８とが互いに接着剤または超音波溶着などで結合されることによって、粘性流体９５の液漏れが阻止される。
【００２５】
これによって、図１に示すように、封じ部材６７は、第２緩衝構造体６６の裏面および突部７４の外周面に接触して粘性流体９５の液漏れを阻止する。つまり、封じ部材６７が第２緩衝構造体６６の裏面および突部７４の外周面に接触することによって、粘性流体９５が狭い液室９３および広い液室９４から第２緩衝構造体６６と蓋６８との間の合わせ部分から外部に漏れないようになる。また、蓋６８の外縁部が蓋収容部８８に嵌めこまれて接着剤で結合され、周壁８０の前面が第２緩衝構造体６６の裏面に接触するかまたは接触する程度に近づき、第１緩衝構造体６５と第２緩衝構造体６６が互いに分離しないように蓋６８で支持され、緩衝器１０が構成される。
【００２６】
図４において、上記のように構成された緩衝器１０は機構躯体２に次のように取り付けられる。支柱７６が機構躯体２の前側から支柱挿入孔８３に挿入され、回転阻止部７５；８４が互いに嵌め合わされ、突部７４の裏面が緩衝取付部３０の前面に接触し、固定具８６が機構躯体２の裏側に突出した止取付部７７に装着される。これによって、図１に示すように、緩衝器１０が機構躯体２に回転しないように取り付けられる。
【００２７】
図６において、狭い液室９３は、緩衝収容部８９の裏面と緩衝収容部８９の内周面９０と第２緩衝構造体６６の外周面９６と図４の蓋６８とによって囲まれた空間である。広い液室９４は、緩衝収容部８９の裏面と緩衝収容部８９の内周面９０と第２緩衝構造体６６の平面９７と図４の蓋６８とによって囲まれた空間である。そして、第２緩衝構造体６６が回転しないように支持され、第１緩衝構造体６５が矢印Ｘ１または矢印Ｘ２の方向に図４の軸部７３の周方向に回転するか、または、第１緩衝構造体６５が回転しないように支持され、第２緩衝構造体６６が矢印Ｘ１または矢印Ｘ２の方向に図４の軸部７３の周方向に回転することによって、粘性流体９５がトルクを発生する。
【００２８】
最良の形態では、発射操作機構１が構成された場合、図１に示すように、機構躯体２には緩衝器１０の第２緩衝構造体６６が固定され、第１緩衝構造体６５には平歯車６が固定され、操作体３には環状歯車８が固定的に設けられ、平歯車６と環状歯車８とが互いに噛み合わされている。そして、操作体３が最小停止位置に停止された状態において、遊技者が、発射操作機構１の前側から手の平を前覆体４の前面に接触させ、手の平で前覆体４の前面を覆いつつ、指を指掛部３４に掛け、操作体３を右回りに回転操作すると、第１緩衝構造体６５が右回りに回転する。その状態において、遊技者が、図３の操作体３を左回りに回転操作すると、第１緩衝構造体６５が左回りに回転する。
【００２９】
このように、遊技者が操作体３を右回りまたは左回りに回転操作するのに伴い、図６において、粘性流体９５の一部が狭い液室９３における第１緩衝構造体６５の緩衝収容部８９の内周面９０に接触して第１緩衝構造体６５と一緒に第１緩衝構造体６５の回転方向に移動し、粘性流体９５の他部が狭い液室９３における第２緩衝構造体６６の外周面９６に接触して第２緩衝構造体６６と一緒に留まるように静止することによって、粘性流体９５がトルクを発生する。この発生するトルクは、第１緩衝構造体６５の回転速度が速くなればなるほど大きくなり、第１緩衝構造体６５の回転速度が遅くなればなるほど小さくなり、第１緩衝構造体６５が停止し、粘性流体９５の行き来が停止すると、ゼロとなる。つまり、第１緩衝構造体６５の回転運動に伴い、粘性流体９５が発生するトルクは、可変し得るトルクである。よって、遊技者が操作体３を所望の位置に回転操作した後、その所望の位置から右回りまたは左回りに遊技者が操作体３を回転操作しなければ、緩衝器１０がトルクを発生しないので、遊技者は操作体３を戻そうとするばね力を受けることなく、遊技者は操作体３を所望の位置に保持することができるという利点がある。
【００３０】
図４に示すように、第２緩衝構造体６６には支柱７６および回転阻止部７５が設けられ、支柱７６には止取付部７７が設けられ、機構躯体２には緩衝取付部３０と支柱挿入孔８３および回転阻止部８４が設けられ、支柱７６が支柱挿入孔８３に挿入され、回転阻止部７５が回転阻止部８４に嵌め込まれることによって、第２緩衝構造体６６が緩衝取付部３０に回転しないように固定的に取り付けられる。そして、固定具８６が機構躯体２から裏側に突出した支柱７６の止取付部７７に装着されることによって、支柱７６が機構躯体２に脱落しないように取り付けられる。これによって、緩衝器１０が図２に示すように機構躯体２に容易に取り付けられるとともに、緩衝器１０が機構躯体２から容易に取り外せるという利点がある。
【００３１】
機構躯体２に回転可能に設けられた３個の平歯車５乃至７と操作体３に固定的に設けられた１個の環状歯車８とが互いに噛み合わせられ、前覆体４が操作体３の前側に被せられ、操作体３の複数の支柱２５と前覆体４の複数の取付脚４２とが機構躯体２の裏側から止ねじ１５で締結されることによって、機構躯体２と前覆体４とがそれらの間に操作体３を回転可能に介在させた格好で互いに固定される。したがって、平歯車５乃至７の設けられた機構躯体２、環状歯車８の設けられた操作体３、前覆体４からなる複数の構成部材が、止ねじ１５だけで、互いに分離しないように取り付けられた構造であるので、当該複数の構成部材どうしの組立作業および分解作業が簡単であるという利点がある。しかも、機構躯体２の側の平歯車５乃至７と操作体３の側の環状歯車８との噛み合いによって、操作体３が機構躯体２および前覆体４に対し機構躯体２における頭部２３の中心と同軸な操作体３の中心を中心として回転可能となる。したがって、操作体３の中心から径方向に離れた部分で互いに噛み合った平歯車５乃至７と環状歯車８とが操作体３を機構躯体２に対し回転可能に支持した構造であるので、機構躯体２の中心部に操作体３を回転可能に支持するための操作軸を設けた構造に比べ、操作体３ががたつくことなく円滑に回転できるという利点がある。
【００３２】
また、機構躯体２の中心部から操作体３を回転可能に支持するための操作軸を取り除くことができ、当該操作軸が取り除かれれば、操作体３と前覆体４とで囲まれた内部空間が広くなり、当該広くなった内部空間に人の接触を感知する半導体装置からなる接触検出器を配置し、当該接触検出器を操作体３に取り付けることも容易となるという利点がある。平歯車５に可変抵抗器９のボリューム軸５５を固定し、平歯車６に外側の第１緩衝構造体６５を固定し、内側の第２緩衝構造体６６が機構躯体２に固定されたので、内側の第２緩衝構造体６６を平歯車に固定し、外側の第１緩衝構造体６５を機構躯体２に固定した場合よりも、緩衝器１０の耐久性が向上するという利点がある。しかも、操作体３を機構躯体２に対し回転可能に支持する３個の平歯車５乃至７のうちの２個を可変抵抗器９と緩衝器１０との作動に活用した簡単な構造であるという利点がある。
【産業上の利用可能性】
【００３３】
平歯車５乃至７の個数は、３個に限定されるものではなく、２個または４個以上であってもよいが、最良の形態のように３個使用すれば、最小の使用個数で、操作体３を機構躯体２に対し円滑に回転し得るように支持できるという利点がある。
【００３４】
図７および図８は異なる形態である。図７は、第１緩衝構造体６５を裏側から示す。図８は、第１緩衝構造体６５と第２緩衝構造体６６とが組み立てられた裏面を示す。図７において、第１緩衝構造体６５の内周面９０には、櫓凹凸部９８が設けられる。櫓凹凸部９８は、内周面９０から緩衝収容部８９の径方向内側と径方向外側とに向けて緩衝収容部８９の周方向に互い違いに連続し、緩衝収容部８９における前後方向に延びる中心線と平行する方向に連続する条を形成する。そして、遊技者が図３の操作体３を右回りまたは左回りに回転操作するのに伴い、図８において、櫓凹凸部９８が粘性流体９５をかく部分として粘性流体９５に作用し、粘性流体９５が一方の広い液室９４から狭い液室９３を経由して他方の広い液室９４に流れる過渡現象としてトルクを発生する。この発生するトルクは、第１緩衝構造体６５の回転速度が速くなればなるほど大きくなり、第１緩衝構造体６５の回転速度が遅くなればなるほど小さくなり、第１緩衝構造体６５が停止し、粘性流体９５の行き来が停止すると、ゼロとなる。よって、第１緩衝構造体６５の回転運動に伴い、粘性流体９５が発生するトルクは、可変し得るトルクである。上記のように、櫓凹凸部９８が第１緩衝構造体６５に設けられたことによって、第１緩衝構造体６５の構造が最良の形態よりも複雑になるものの、櫓凹凸部９８が粘性流体９５をかく部分として粘性流体９５に作用するので、粘性流体９５として使用される物体の種類が最良の形態よりも増えるという利点がある。
【図面の簡単な説明】
【００３５】
【図１】発射操作機構の要部断面図（最良の形態）。
【図２】発射操作機構の分解斜視図（最良の形態）。
【図３】操作体と平歯車と可変抵抗器および緩衝器の分解斜視図（最良の形態）。
【図４】平歯車と緩衝器および緩衝取付部の分解斜視図（最良の形態）。
【図５】第１緩衝構造体の裏側斜視図（最良の形態）。
【図６】第１緩衝構造体と第２緩衝構造体との組立裏面図（最良の形態）。
【図７】第１緩衝構造体の裏側斜視図（異なる形態）。
【図８】第１緩衝構造体と第２緩衝構造体との組立裏面図（異なる形態）。
【符号の説明】
【００３６】
１  発射操作機構、２  機構躯体、３  操作体、４  前覆体、５  平歯車、
６  平歯車、７  平歯車、８  環状歯車、９  可変抵抗器、１０  緩衝器、
１５  止ねじ、３０  緩衝取付部、５５  ボリューム軸、
６５  第１緩衝構造体、６６  第２緩衝構造体、７６  支柱、８３  支柱挿入孔、
９３  狭い液室、９４  広い液室、９５  粘性流体。
【図１】
2007082901.tif 000003
【図２】
2007082901.tif 000004
【図３】
2007082901.tif 000005
【図４】
2007082901.tif 000006
【図５】
2007082901.tif 000007
【図６】
2007082901.tif 000008
【図７】
2007082901.tif 000009
【図８】
2007082901.tif 000010